(57)【要約】【課題】作業効率を図って回転操作軸に対して操作ダイヤルが正確に位置合わせされて組み付けられるようにする。【解決手段】第１の位置決め嵌合部８を有する回転操作軸４と、この回転操作軸４に組み付けられるダイヤル部材１０とを備える。ダイヤル部材１０は、表示部１３が設けられた操作部１１と、この操作部１１の中央部に一体に突出形成され回転操作軸４が嵌合される嵌合孔１６を有するボス部１２と、嵌合孔１６に形成された第２の位置決め嵌合部１７とを有し、嵌合孔１６の底部１８が回転操作軸４の先端面４ａが突き当てられて嵌合量を規定する基準面を構成する。操作部１１に、第２の位置決め嵌合部１７に対応して底部１８を切り欠いて嵌合孔１６の一部を貫通させて識別開口１４を形成し、この識別開口１４を介して第１の位置決め嵌合部８と第２の位置決め嵌合部１７との嵌合状態を識別可能とする。【選択図】　　図１
2004119336.tif 000002
【特許請求の範囲】
【請求項１】
外周部に先端部に達して形成された軸方向の切欠きにより構成された第１の位置決め嵌合部を有する回転操作軸と、
第１の主面に表示部が設けられた円盤状操作部と、この操作部の第２の主面側の中央部に一体に突出形成され前記回転操作軸が嵌合される嵌合孔を有するボス部と、前記嵌合孔の内部に前記第１の位置決め嵌合部と相対して形成された軸方向の第２の位置決め嵌合部とを有し、前記嵌合孔の底部が前記回転操作軸の先端面を突き当てられることにより嵌合量を規定する基準面として構成されるダイヤル部材とを備え、
前記第１の位置決め嵌合部と前記第２の位置決め嵌合部とを係合した状態で、前記ダイヤル部材が前記嵌合孔に回転操作軸をその先端面を前記底部に突き当たるまで嵌合することにより、回転方向に対して位置決め固定されるとともに嵌合位置を規制されて組み付けられてなり、
前記ダイヤル部材の操作部に、前記第２の位置決め嵌合部に対応して前記底部を切り欠いて前記嵌合孔の一部を貫通させて識別開口を形成し、この識別開口が前記第１の位置決め嵌合部と第２の位置決め嵌合部との嵌合状態の識別部を構成することを特徴とするダイヤル装置。
【請求項２】
前記回転操作軸を先端部に至る断面Ｄ字状に形成することにより前記第１の位置決め嵌合部を構成するとともに、前記嵌合孔を断面Ｄ字状の軸孔形状とすることにより内部に前記第２の位置決め嵌合部を構成したことを特徴とする請求項１に記載のダイヤル装置。
【請求項３】
前記回転操作軸の前記第１の位置決め嵌合部と対向する外周部に軸方向の嵌合ガイド凹部を形成するとともに、前記ダイヤル部材の前記操作部に前記嵌合孔に連通して開口された貫通部位に突出して軸方向の嵌合ガイド凸部を形成し、
前記回転操作軸が前記ダイヤル部材の嵌合孔に嵌合された状態において、前記嵌合ガイド凹部に前記嵌合ガイド凸部が嵌合されることを特徴とする請求項２に記載のダイヤル装置。
【発明の詳細な説明】
【０００１】
【発明の属する技術分野】
本発明は、ロータリースイッチやチューナ等に付設され、回転操作軸に対してダイヤル部材を回転方向に対して位置決め固定して組み付けて構成したダイヤル装置に関する。
【０００２】
【従来の技術】
例えばロータリースイッチは、スイッチ本体に対して回転操作軸が回転自在に設けられ、この回転操作軸を回転操作することによって内部の接点機構の切り換えが行われる。ロータリースイッチには、一般に回転操作軸の先端部にダイヤル部材を組み付けて回転操作部と内部接点機構の切換位置の表示部とを構成するダイヤル装置が設けられている。
【０００３】
ダイヤル装置は、一般にダイヤル部材が、一方の主面に表示部が設けられた円盤状の操作部と、この操作部の他方の主面の中央部に一体に突出形成され回転操作軸が嵌合される嵌合孔を有するボス部とから構成される。ダイヤル装置は、回転操作軸とダイヤル部材とが、基準位置に対して内部接点機構の切換位置とその表示とが一致されるように位置決めされるとともに、軸方向に対しては着脱操作が可能であり回転方向に対しては一体に回転するように固定されて構成される。
【０００４】
このため、従来のダイヤル装置においては、例えば回転操作軸が外周部の一部に先端部に達して軸方向の切欠きを形成することによって断面Ｄ字とされるとともに、ダイヤル部材に形成されて回転操作軸が嵌合するボス部の嵌合孔が断面Ｄ字とされている。ダイヤル装置は、回転操作軸とダイヤル部材とが、Ｄ字状に切り欠かれた部位とＤ字状に切り残された部位とを組み合わせた場合にのみ嵌合が可能とされるようになる。
【０００５】
なお、従来のダイヤル装置においては、上述したいわゆるＤカット嵌合構造ばかりでなく、例えば回転操作軸に先端部に開口する軸方向のスリットを形成するとともに、ダイヤル部材側の嵌合孔内に前記スリットに対応して孔壁を連結する嵌合壁を形成した構造も採用されている。ダイヤル装置は、回転操作軸とダイヤル部材とが、スリットに対して嵌合壁を位置合わせした場合にのみ嵌合が可能とされるようになる。
【０００６】
【特許文献１】
特開２００１−１１０６０８号公報
【０００７】
【発明が解決しようとする課題】
ところで、ダイヤル装置においては、回転操作軸とダイヤル部材との軸方向の嵌合位置を規制する構造が必要となる。ダイヤル装置においては、回転操作軸に対してダイヤル部材が必要以上に押し込まれて組み付けられた場合に、ダイヤル部材の内面やボス部の端部がスイッチ本体や機器パネルに圧接されて回転操作が円滑に行い得なかったり不能となったりすることがある。また、ダイヤル装置においては、回転操作軸に対してダイヤル部材が所定の位置まで押し込まれて組み付けられない場合に、ダイヤル部材が脱落することがある。
【０００８】
したがって、従来のダイヤル装置においては、ダイヤル部材の嵌合孔が操作部の主面において閉塞されたいわゆる盲孔構造となっており、嵌合された回転操作軸の先端面がこの嵌合孔の底部に突き当たることによって軸方向の嵌合位置が規制されるように構成されている。
【０００９】
しかしながら、かかるダイヤル装置においては、Ｄカット嵌合構造を有する回転操作軸と嵌合孔との嵌合位置を視認することが困難となる。このため、ダイヤル装置においては、組付時にダイヤル部材を回転しながら嵌合位置を探る操作が必要となり作業性が悪いといった問題があった。また、ダイヤル装置においては、かかる探り操作を行うことによって、回転操作軸の先端部や嵌合孔の開口部位が擦れて破損したり傷付きが生じることがあった。
【００１０】
したがって、本発明は、作業効率を図って回転操作軸に対して操作ダイヤルが正確に位置合わせされて組み付けられるようにするダイヤル装置を提供することを目的としたものである。
【００１１】
【課題を解決するための手段】
この目的を達成する本発明にかかるダイヤル装置は、外周部に先端部に達して形成された軸方向の切欠きにより構成された第１の位置決め嵌合部を有する回転操作軸と、この回転操作軸に組み付けられるダイヤル部材とを備える。ダイヤル装置は、第１の主面に表示部が設けられた円盤状操作部と、この操作部の第２の主面側の中央部に一体に突出形成され回転操作軸が嵌合される嵌合孔を有するボス部と、嵌合孔の内部に回転操作軸側の第１の位置決め嵌合部と相対して形成された軸方向の第２の位置決め嵌合部とを有してなり、嵌合孔の底部が回転操作軸の先端面が突き当てられることにより嵌合量を規定する基準面を構成する。ダイヤル装置は、ダイヤル部材の操作部に、第２の位置決め嵌合部に対応して底部を切り欠いて嵌合孔の一部を貫通させて識別開口を形成し、この識別開口が第１の位置決め嵌合部と第２の位置決め嵌合部との嵌合状態の識別部を構成してなる。
【００１２】
以上のように構成された本発明にかかるダイヤル装置によれば、回転操作軸がダイヤル部材の嵌合孔に対して先端面を底部に突き当たるまで嵌合されることにより、第１の位置決め嵌合部と第２の位置決め嵌合部とが係合されて回転方向に対して位置決め固定されるとともに嵌合位置を規制されて組み付けられる。ダイヤル装置によれば、操作部に開口された識別部を介して第１の位置決め嵌合部と第２の位置決め嵌合部との嵌合位置を視認しながら回転操作軸に対するダイヤル部材の組付操作が行われることで、作業の効率化が図られるとともに正確な組付が行われるようになる。
【００１３】
【発明の実施の形態】
以下、本発明の実施の形態として図面に示したダイヤル装置１について詳細に説明する。実施の形態として示したダイヤル装置１は、ロータリスイッチ２に付設されて内部接点機構の切換操作を行うとともに、切換位置の表示を行う。ダイヤル装置１は、ロータリスイッチ２のスイッチ本体３から突出された回転操作軸４と、この回転操作軸４の先端部に組み付けられたダイヤル部材１０とから構成される。
【００１４】
ロータリスイッチ２は、詳細を省略するが図１及び図２に示すようにスイッチ本体３のアッパフレーム５から回転操作軸４が突出されており、詳細を後述する嵌合構造を介して組み付けられたダイヤル部材１０を回転操作することにより、内部の接点機構の切換が行われる。ロータリスイッチ２は、スイッチ本体３の側面から多数本の出力端子片６が突出されており、例えば各出力端子片６を端子孔に嵌合してはんだ付けすることによってスイッチ配線基板に実装される。
【００１５】
ロータリスイッチ２は、詳細を省略するが回転操作軸４がスイッチ本体３の内部において軸受機構によって回転自在に支持されており、この回転操作軸４に可動接点が設けられている。ロータリスイッチ２は、回転操作軸４が貫通する配線基板に各出力端子片６と接続されたコモン接点と複数個の固定接点とが同心円上に形成されており、回転操作軸４が回転操作されることによって可動接点が固定接点と選択的に接続されてスイッチ切換が行われる。
【００１６】
ロータリスイッチ２には、アッパフレーム５の中央部にガイド孔７ａを有するボス部７が形成され、ガイド孔７ａから回転操作軸４が突出される。なお、アッパフレーム５には、外周部に出力端子片６と同一方向に折曲され、スイッチ配線基板に形成した取付孔に嵌合されてはんだ付けされる取付片５ａが一体に形成されている。
【００１７】
回転操作軸４は、合成樹脂によって成形され、図２に示すようにボス部７から突出された部位が中心孔４ａを有する筒状を呈している。回転操作軸４には、中心よりもやや側方の位置において先端面４ｂに達する軸方向の断面略Ｄ字状の切欠き部によって第１の位置決め嵌合部８が形成されている。回転操作軸４は、中心孔４ａを有することで軸芯方向に対して多少の収斂特性を有し、後述するようにダイヤル部材１０としっかりと組み合わされるようにする。回転操作軸４は、第１の位置決め嵌合部８により外周部の一部を軸方向に円弧状に切り欠かれることによって、断面略Ｄ字状を呈している。
【００１８】
回転操作軸４には、第１の位置決め嵌合部８と対向する円弧状の外周部に位置して嵌合ガイド凹部９が形成されている。嵌合ガイド凹部９は、回転操作軸４の先端面４ｂに開口する小幅の軸方向の切欠き凹溝からなる。
【００１９】
ダイヤル部材１０は、合成樹脂によって一体に成形された円盤状の操作部１１と、この操作部１１から突出形成されたボス部１２とからなる。操作部１１は、回転操作軸４を回転操作するとともに、ロータリスイッチ２の内部接点の設定状態を表示する機能を有する。操作部１１には、図３乃至図６に示すように外周部に全周に亘ってフランジ部１２が一体に形成されるとともに、このフランジ部１２の外周部に滑り止めの多数の凹凸が形成されている。
【００２０】
操作部１１には、後述するようにダイヤル部材１０を回転操作軸４に組み付けた状態において外側に位置する第１の主面１１ａが、図３に示すように表示数字１３が設けられて表示面を構成する。操作部１１には、略中心部に位置して識別開口１４が開口されるとともに、この識別開口１４に突出して嵌合ガイド凸部１５が形成されている。
【００２１】
識別開口１４は、操作部１１の中心通過線を一辺とする直線部位の両端を円弧状に連結した略半円形の開口部からなる。識別開口１４は、直線部位の長さ、すなわち直径が回転操作軸４の外径とほぼ等しく形成されている。識別開口１４には、内周壁に全周に亘って凹凸が形成されており、各凸部の内径が回転操作軸４の外径よりも僅かに小径とされている。識別開口１４には、直線部位と対向する円弧状部位の中央部に位置して嵌合ガイド凸部１５が形成されている。
【００２２】
嵌合ガイド凸部１５は、図６に示すように操作部１１の厚み及びボス部１２の軸長の全域に亘って形成された軸方向の凸部からなる。嵌合ガイド凸部１５は、その幅が回転操作軸４に形成された嵌合ガイド凹部９の溝幅とほぼ等しく形成されている。嵌合ガイド凸部１５は、後述するようにダイヤル部材１０を回転操作軸４に組み付けた状態において嵌合ガイド凹部９に相対嵌合される。
【００２３】
操作部１１には、図４に示すように第２の主面１１ｂ側の中央位置に、回転操作軸４が嵌合される嵌合孔１６を有するボス部１２が一体に形成されている。ボス部１２は、軸長が上述したボス部７から突出された回転操作軸４の筒軸部位の軸長よりもやや短軸とされるとともに、嵌合孔１６の内径がこの筒軸部位の外径とほぼ等しく形成されている。嵌合孔１６には、中心よりもやや側方の位置において開口部に達する軸方向の断面略Ｄ字状の凸部によって第２の位置決め嵌合部１７が形成されている。したがって、嵌合孔１６は、断面略Ｄ字状の軸孔として構成されている。
【００２４】
嵌合孔１６にも、識別開口１４の凹凸に連続して内周壁に全周に亘って凹凸が形成されており、各凸部の内径が回転操作軸４の外径よりも僅かに小径とされている。嵌合孔１６には、直線部位と対向する円弧状部位の中央部に位置して、上述した嵌合ガイド凸部１５が延長されて開口部まで形成されている。嵌合孔１６は、図４及び図５に示すように操作部１１において中心通過線を境として半円形部位が上述した識別開口１４として貫通されるとともに、残りの部位が天井壁１８によって閉塞されている。天井壁１８は、後述するようにダイヤル部材１０を回転操作軸４に組み付けた状態において、回転操作軸４の先端面４ｂが突き当てられることにより嵌合位置を規制する基準面を構成する。
【００２５】
以上のように構成されたダイヤル部材１０は、スイッチ本体３から突出された回転操作軸４を嵌合孔１６に嵌合し、互いに位置合わせした状態で組み付けられることによってダイヤル装置１を構成する。ダイヤル装置１は、第２の位置決め嵌合部１７を第１の位置決め嵌合部８に組み合わせるようにしてダイヤル部材１０の嵌合孔１６に回転操作軸４が嵌合される。また、ダイヤル装置１は、ダイヤル部材１０が、嵌合孔１６に突出形成した嵌合ガイド凸部１５を嵌合ガイド凹部９に嵌合して回転操作軸４に嵌合される。
【００２６】
ダイヤル装置１は、この状態でダイヤル部材１０を回転操作軸４に対して、天井壁１８に先端面４ｂが突き当たるまで押込み操作する。ダイヤル装置１は、これによってダイヤル部材１０の回転操作軸４に対する嵌合量が規制され、図１に示すようにスイッチ本体３に対してダイヤル部材１０が所定の間隙を保持されて組み付けられる。ダイヤル装置１は、上述したように内周壁に凹凸を形成したことにより嵌合孔１６の内径が回転操作軸４の外径よりもやや小径となっている。ダイヤル装置１は、ダイヤル部材１０を押し込むことによって回転操作軸４が収斂して弾性力を蓄勢し、この弾性力が嵌合孔１６の内周壁に反力として作用することでダイヤル部材１０の脱落が阻止される。
【００２７】
ダイヤル装置１においては、ダイヤル部材１０が回転操作軸４に対して、第２の位置決め嵌合部１７と第１の位置決め嵌合部８とが係合状態にあるとともに、嵌合ガイド凸部１５が嵌合ガイド凹部９に嵌合されて組み付けられる。したがって、ダイヤル装置１においては、回転操作軸４とダイヤル部材１０とが、基準位置に対して内部接点機構の切換位置とその表示数字１３とが一致されるように位置決めされて組み付けられる。また、ダイヤル装置１においては、ダイヤル部材１０が回転操作軸４に対して回転方向に一体に回転するように固定される。ダイヤル装置１においては、回転操作軸４に対してダイヤル部材１０を軸方向に押し込むといった極めて簡易な操作によって組み付けが行われる。
【００２８】
ダイヤル装置１においては、上述したようにダイヤル部材１０の操作部１１に識別開口１４が形成されており、この識別開口１４を介して操作部１１の第１の主面１１ａ側から第１の位置決め嵌合部８と第２の位置決め嵌合部１７の組み合わせ状態が識別可能とされる。したがって、ダイヤル装置１においては、ダイヤル部材１０を回転操作軸４に対して容易に組み付けることが可能となり、組立効率の向上が図られるようになる。また、ダイヤル装置１においては、回転操作軸４に対してダイヤル部材１０を位置合わせするために回転しながら嵌合位置を探る操作が不要となり、作業効率の向上とともに回転操作軸４の先端部や嵌合孔１６の開口部位の破損や傷付きの発生が防止される。
【００２９】
なお、上述した実施の形態においては、ロータリスイッチ２に付設されるダイヤル装置１の適用例を示したが、本発明はかかる適用例に限定されるものでは無く、チューナ等各種の機器に付設されるダイヤル装置に適用される。また、本発明は、回転操作軸４やダイヤル部材１０が上述した構造に限定されるものではなく、少なくとも第１の位置決め嵌合部８と第２の位置決め嵌合部１７及び識別開口１４を備えて構成されればよい。
【００３０】
【発明の効果】
以上詳細に説明したように、本発明にかかるダイヤル装置によれば、回転操作軸とダイヤル部材とが第１の位置決め嵌合部と第２の位置決め嵌合部とを係合させて嵌合孔に嵌合して組み付けることから、回転方向に対して正確に位置決めされる。また、ダイヤル装置によれば、操作部に開口された識別部を介して第１の位置決め嵌合部と第２の位置決め嵌合部との嵌合位置を視認しながら回転操作軸に対するダイヤル部材の組付操作が行われることで、作業の効率化が図られるとともに正確な組付が行われるようになる。
【図面の簡単な説明】
【図１】本発明の実施の形態としてロータリースイッチに付設されたダイヤル装置の一部切欠き側面図である。
【図２】同ダイヤル装置の要部平面図である。
【図３】ダイヤル装置を構成するダイヤル部材の正面図である。
【図４】同ダイヤル部材の背面図である。
【図５】同ダイヤル部材の図３におけるＡ−Ａ線に沿った縦断面図である。
【図６】同ダイヤル部材の図３におけるＢ−Ｂ線に沿った縦断面図である。
【符号の説明】
１　　　ダイヤル装置
２　　　ロータリースイッチ
３　　　スイッチ本体
４　　　回転操作軸
４ｂ　　先端面
８　　　第１の位置決め嵌合部
９　　　嵌合ガイド凹部
１０　　ダイヤル部材
１１　　操作部
１２　　ボス部
１４　　識別開口
１５　　嵌合ガイド凸部
１６　　嵌合孔
１７　　第２の位置決め嵌合部
１８　　天井壁（基準面）
【図１】
2004119336.tif 000003
【図２】
2004119336.tif 000004
【図３】
2004119336.tif 000005
【図４】
2004119336.tif 000006
【図５】
2004119336.tif 000007
【図６】
2004119336.tif 000008